(57)【要約】【課題】上下直線状に昇降する吊棚本体を備えた昇降棚において、生産コストの低減および外観の向上を図る。【解決手段】本発明にかかる昇降棚の代表的な構成は、背面が壁面に固定設置され少なくとも手前側および下方が開口した箱形のキャビネットと、キャビネットに上下ガイド手段を介して上下直線状に昇降するように付設された吊棚本体と、キャビネットの左右の側板の手前側下部に掛け渡された補助幕板とを備え、補助幕板は、左右の側板に固定される端部部材と、押出成形品からなり左右の端部部材を連結する梁部材とを備え、該補助幕板の前面が左右両側の端部部材および梁部材によって構成されていることを特徴とする。【選択図】図７
2014097155.tif 000002
【特許請求の範囲】
【請求項１】
背面が壁面に固定設置され少なくとも手前側および下方が開口した箱形のキャビネットと、
前記キャビネットに上下ガイド手段を介して上下直線状に昇降するように付設された吊棚本体と、
前記キャビネットの左右の側板の手前側下部に掛け渡された補助幕板とを備え、
前記補助幕板は、前記左右の側板に固定される端部部材と、押出成形品からなり前記左右両側の端部部材を連結する梁部材とを備え、該補助幕板の前面が前記左右両側の端部部材および梁部材によって構成されていることを特徴とする昇降棚。
【請求項２】
前記梁部材の内部にＬＥＤ照明器具が取り付けられていることを特徴とする請求項１に記載の昇降棚。
【請求項３】
前記キャビネットに取り付けられ先端部が手前へ膨出する円弧状軌跡を描いて上下揺動可能な左右のアーム部材と、
前記吊棚本体の左右側板に略水平方向に揺動可能に取り付けられ前記アーム部材に回転可能に連結された揺動板と、
前記揺動板から下方に延伸して取り付けられた取手アームとをさらに備え、
左右の前記アーム部材が円弧状軌跡を描きつつ上下揺動するのに連動して前記吊棚本体が上下直線状に昇降する昇降棚において、
前記端部部材の後側を前記吊棚本体の左右側板が通過することを特徴とする請求項１または２に記載の昇降棚。
【発明の詳細な説明】
【技術分野】
【０００１】
本発明は、手前側および下方が開口した箱形のキャビネットを有する昇降棚に関する。
【背景技術】
【０００２】
従来から、キッチンの上方に設置される吊戸棚の一種として、吊棚本体が昇降する、いわゆる昇降棚が提供されている。昇降棚としては手動式のもの、および電動式のものがある。手動式のものとしては、例えば特許文献１に、上下直線状に昇降する吊棚本体を備えた昇降棚が提案されている。
【０００３】
昇降棚におけるキャビネットは、吊棚本体が出入りするために下方が開口している必要があり、またメンテナンス等のために手前側の面も開口している場合が多い。するとキャビネットは手前側および下方の連続する２面が開口することになり、荷重や経年変化によって変形が生じるおそれがある。そこでキャビネットの左右側板の手前側下部同士を部材で連結して、キャビネットの剛性を高めることが好ましい。
【０００４】
特許文献２には、電動式の昇降棚において、横長の操作ユニット８によってキャビネットの左右側板の手前側下部同士を連結する構成が提案されている。すなわち、操作ユニットが連結部材を兼ねている。特許文献２によれば、キャビネットの左右側板の変形を防ぐことにより、吊棚本体のスムーズな昇降動を実現することができるとしている。
【先行技術文献】
【特許文献】
【０００５】
【特許文献１】特許４８０１４５４号公報
【特許文献２】特開２０１０−２５２８８６号公報
【発明の概要】
【発明が解決しようとする課題】
【０００６】
しかしながら、外観上の統一を図るために、吊戸棚は通常キッチンのキャビネットと寸法を合わせる必要がある。そしてキッチンのキャビネットは数種類のサイズ（幅）がラインアップされるものであり、これに応じて昇降棚のキャビネットも数種類のサイズがラインアップされる。すると、特許文献２のように操作ユニット８によって左右側板の手前側下部同士を連結固定する構成とすると、サイズごとに操作ユニットを用意しなくてはならず、生産コストが上昇するという問題がある。
【０００７】
また特許文献２では、キャビネットの前面扉よりも操作ユニットが突出して示されている。これは、キャビネット内部では吊棚本体が上下移動する空間を確保する必要があるため、この空間に前面扉と操作ユニットの後側の面を合わせた結果として、手前側においては前面扉より操作ユニットが突出してしまったものである。しかしながら、キャビネットの手前側の面がフラットである方が意匠上好ましい。
【０００８】
そこで本発明は、上下直線状に昇降する吊棚本体を備えた昇降棚において、生産コストの低減および外観の向上を図ることを目的としている。
【課題を解決するための手段】
【０００９】
上記課題を解決するために、本発明にかかる昇降棚の代表的な構成は、背面が壁面に固定設置され少なくとも手前側および下方が開口した箱形のキャビネットと、キャビネットに上下ガイド手段を介して上下直線状に昇降するように付設された吊棚本体と、キャビネットの左右の側板の手前側下部に掛け渡された補助幕板とを備え、補助幕板は、左右の側板に固定される端部部材と、押出成形品からなり左右の端部部材を連結する梁部材とを備え、該補助幕板の前面が左右両側の端部部材および梁部材によって構成されていることを特徴とする。
【００１０】
上記構成によれば、キャビネットに数種類のサイズをラインアップしたとしても、左右の端部部材は共通部品であり、中央の梁部材は長尺の押出成形品をカットすればよい。このため金型をサイズ毎に製造する必要がなく、また部品ストックも減らすことができるため、生産コストを低減させることができる。
【００１１】
梁部材の内部にＬＥＤ照明器具が取り付けられていてもよい。ＬＥＤ照明器具は容積を小さく構成することができるため、吊棚本体が上下移動する空間を大きく侵食することなく、梁部材を後方に突出させることができる。
【００１２】
キャビネットに取り付けられ先端部が手前へ膨出する円弧状軌跡を描いて上下揺動可能な左右のアーム部材と、吊棚本体の左右側板に略水平方向に揺動可能に取り付けられアーム部材に回転可能に連結された揺動板と、揺動板から下方に延伸して取り付けられた取手アームとをさらに備え、左右のアーム部材が円弧状軌跡を描きつつ上下揺動するのに連動して吊棚本体が上下直線状に昇降する昇降棚において、端部部材の後側を吊棚本体の左右側板が通過することが好ましい。
【００１３】
上記の構成においては、吊棚本体は上下直線状に移動するものの、アーム部材の先端は手前側に円弧状軌跡を描いて揺動するため、揺動板を移動させるレールは手前側に突出している必要がある。しかし上記の構成によれば、補助幕板の梁部材の内部に照明器具を設け、端部部材の内部には設けないことにより、補助幕板全体としては両端が薄く、中央部が厚い構成となる。そして端部部材の後側を吊棚本体の左右側板が通過するため、梁部材の内部に照明器具を配置してもこれと干渉することがない。したがって補助幕板をより後側に下げることができ、キャビネット内部の空間を有効利用できると共に、外観の向上を図ることができる。
【発明の効果】
【００１４】
本発明によれば、上下直線状に昇降する吊棚本体を備えた昇降棚において、生産コストの低減および外観の向上を図ることができる。
【図面の簡単な説明】
【００１５】
【図１】吊棚本体を収納した状態を示す図である。
【図２】吊棚本体を引き出す途中の状態を示す図である。
【図３】吊棚本体を開放した状態を示す図である。
【図４】昇降機構を説明する側面図である。
【図５】キャビネットの補助幕板を説明する図である。
【図６】端部部材を説明する図である。
【図７】キャビネットの補助幕板を説明する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１から図３は本実施形態にかかる昇降棚を説明する立体図であって、図１は吊棚本体を収納した状態を示す図、図２は吊棚本体を引き出す途中の状態を示す図、図３は吊棚本体を開放した状態を示す図である。図４は昇降機構を説明する側面図である。
【００１８】
図１に示す昇降棚１００は、箱形のキャビネット１１０に対して吊棚本体２００が上下直線状に昇降するように付設されている。キャビネット１１０は、背面が不図示の壁面に固定設置され、手前側および下方が開口している。キャビネット１１０の手前側の開口面１１２には観音開きの前扉１２０が取り付けられている。なお図１では、内部構成を示すために、右側の前扉およびキャビネット１１０の右側面の記載を省略している。キャビネット１１０の下方の開口面１１４は開放したままであり、この開口面１１４から吊棚本体２００が昇降する。
【００１９】
吊棚本体２００は、キッチンの天板上に置かれる物品との衝突をさけるため、キャビネットの高さを全て利用する高さの吊棚本体２００を用意することは難しい。しかし、そうすると昇降棚１００の上部には隙間が出来てしまう。そこで限られたキッチン空間を有効に活用するために、昇降棚１００の内部で、吊棚本体２００の最上位置より上に棚板１１６を設けている。棚板１１６の上には、買い置きしておくものや、季節性の高い物など出し入れ頻度の低いものを収納するために簡便である。そして、吊棚本体２００には使用頻度の高い食器など収納し、体を伸ばしたり踏み台を持ってきたりといった手間をかけることなく出し入れできるというように使い分けをすることで、使用頻度に応じた収納空間の効率的利用が達成できるようになる。
【００２０】
吊棚本体２００は、左右に配置された側板２１０、２１２と、底板２１４、左右の側板２１０、２１２の上部を連結するフレーム２１６、２１８によって、収納スペースを構成している。左右の側板２１０、２１２の後方には上下方向に延びるガイド部２８０が設けられていて、キャビネット１１０に固定された上下レール２８２と組み合わされる。これら上下レール２８２とガイド部２８０からなる上下ガイド手段によって、吊棚本体２００は上下直線状に昇降する。
【００２１】
次に昇降機構について説明する。本実施形態において昇降機構は左右対称になっている平行リンク機構であるが、以下の説明では片側のみについて部材を挙げて説明する。
【００２２】
吊棚本体２００の下方には、幅方向に延びる取手アーム２２０が設けられている。取手アーム２２０はアーム取付部２２４および腕部２２６を介して揺動板２２８に連結されている。換言すれば、取手アーム２２０は揺動板２２８から下方に延伸して取り付けられている。腕部２２６は左右の側板２１０、２１２の外側を通り、上下方向に延びている。左右の側板２１０、２１２の上部外側には略水平方向のレール２３０が形成されていて、揺動板２２８はレール２３０に沿って吊棚本体２００の左右側板２１０、２１２の外壁面に略水平方向に揺動可能に取り付けられている。
【００２３】
図２および図４（ｂ）によく表れているように、揺動板２２８は第１アーム部材２３２に連結されている。第１アーム部材２３２は、揺動板２２８と反対側の端にある軸２３２ａによってキャビネット１１０に固定された取付部材１３０に取り付けられて、先端部が手前へ膨出する円弧状軌跡を描いて上下揺動可能となっている。以上の構成から、取手アーム２２０を前後方向に動かすと、揺動板２２８が前後方向に移動し、これに伴って第１アーム部材２３２が円弧状軌跡を描きつつ上下揺動するため、吊棚本体２００を上下直線状に昇降させることができる。
【００２４】
図４に示されているように、取付部材１３０には、手前側方向および奥側方向の衝撃を緩和する２本のダンパ２４０、２４２が設けられている。２本のダンパ２４０、２４２の移動子には第２アーム部材２３４が取り付けられ、第２アーム部材２３４は第３アーム部材２３６によって第１アーム部材２３２に連結されている。したがって第１アーム部材２３２が上の揺動端にあるときはダンパ２４０が作用し（図４（ａ）参照）、第１アーム部材２３２が下の揺動端にあるときはダンパ２４２が作用して（図４（ｃ）参照）、吊棚本体２００の移動端における衝撃や騒音を緩和することができる。
【００２５】
また取付部材１３０には渦巻きバネ２４４が収容されていて、第４アーム部材２４６、第５アーム部材２４８を介して第１アーム部材２３２に連結され、第１アーム部材２３２を上方に押し上げる方向に付勢している。これにより吊棚本体２００および収納物の荷重を軽減し、使用者が吊棚本体２００を収納する際の操作をアシストすることができる。またアシスト機能としては、図３に示すように、キャビネット１１０と吊棚本体２００とを連結する引張バネ２５０も設けている。
【００２６】
また図４（ｂ）に示すように、取手アーム２２０のアーム取付部２２４の内側にはキャッチ部材２５４が設けられている。一方、左右の側板２１０、２１２の下部外壁面には略水平方向にキャッチ部材２５４が通るための溝２５６が形成されている。溝２５６の奥側の端には、キャッチ部材２５４と係合する槍形状のキーパー２５８が設けられている。これらキャッチ部材２５４とキーパー２５８は、取手アーム２２０のロック手段を構成する。
【００２７】
これにより図４（ａ）（ｃ）に示すように、吊棚本体２００が上下の移動端にあるときは、キャッチ部材２５４とキーパー２５８が係合して、取手アーム２２０の移動を係止する。図４（ｂ）に示すように吊棚本体２００を移動させている間は、キャッチ部材２５４とキーパー２５８は離れているため、移動を阻害することはない。このように吊棚本体２００の移動端において取手アーム２２０の移動を係止することにより、ひいては第１アーム部材２３２の揺動を係止し、吊棚本体２００の姿勢を保持することができる。したがって上下端における吊棚本体２００の姿勢の安定性を向上させることができる。
【００２８】
また図４（ａ）に示すように、第１アーム部材２３２は、上方においては鉛直上方よりも角度αだけ奥側まで揺動可能である。また下方においても同様に、鉛直下方よりも角度βだけ奥側まで揺動可能である。αおよびβは、例えば３度程度が好ましい。これにより、吊棚本体２００の姿勢を保持するに際して、ロック手段の係止力だけでなく、上方においては重力を利用することができ、下方においてはアシスト機能の付勢力を利用することができるため、より確実に姿勢を保持することができる。
【００２９】
図５および図７はキャビネットの補助幕板を説明する図である。図５（ａ）に示すように、キャビネット１１０の左右の外壁１３２、１３４の手前側下部には、補助幕板２９０が掛け渡されている。補助幕板２９０は、左右の外壁１３２、１３４に固定される端部部材２９２、２９４と、左右の端部部材２９２、２９４を連結する梁部材２９６とから構成されている。そして補助幕板２９０の前面は、左右両側の端部部材２９２、２９４と梁部材２９６によって構成されている。換言すれば、端部部材２９２、２９４もある程度の幅を有していて、前扉１２０を開いた際に前方から観察される。
【００３０】
端部部材２９２、２９４は、厚みが薄い板金部材である。図６は端部部材を説明する図である。図６（ａ）（ｂ）は左側の端部部材２９２を背面側から見た図である。端部部材２９２は、補助幕板２９０の前面の一部を構成する前板２９２ａと、梁部材２９６の端面を固定する固定部２９２ｂ、昇降棚１００の側板１３２に固定される壁固定部２９２ｃとからなり、全体的にコの字形状をしている。前板２９２ａが梁部材２９６の前面とほぼ面一（つらいち）になっていることから、端部部材２９２の後方には梁部材２９６の奥行き方向の厚み分の空間が形成されている。なお固定部２９２ｂには、照明器具の配線を通すための穴２９２ｄが設けられている。
【００３１】
図６（ｃ）（ｄ）は右側の端部部材２９４を背面側から見た図である。端部部材２９４も端部部材２９２と同様に、補助幕板２９０の前面の一部を構成する前板２９４ａと、梁部材２９６の端面を固定する固定部２９４ｂ、昇降棚１００の側板１３４に固定される壁固定部２９４ｃとからなり、全体的にコの字形状をしている。したがって端部部材２９４の後方にも、梁部材２９６の奥行き方向の厚み分の空間が形成されている。また壁固定部２９４ｃには、照明器具に電源を供給するための電源ユニット２９５および配線カバー２９５ａ、２９５ｂが接続されている。
【００３２】
梁部材２９６はアルミニウム合金の押出成形品から構成されていて、奥行き方向に厚みを有している。これにより剛性を高めて、左右の外壁１３２、１３４を固定している。
【００３３】
図５（ｂ）に示すように、梁部材２９６は、梁本体２９６ａと上カバー２９６ｂからなる。このように梁部材２９６を押出成形品によって形成することにより、キャビネット１１０に数種類のサイズをラインアップしたとしても、左右の端部部材２９２、２９４は共通部品であり、中央の梁部材２９６は長尺の押出成形品をカットすればよい。このため金型をサイズ毎に製造する必要がなく、また部品ストックも減らすことができるため、生産コストを低減させることができる。
【００３４】
また図５（ｂ）および図７（ａ）に示すように、梁部材の内部にはＬＥＤ照明器具が取り付けられている。ここで、端部部材２９２、２９４、梁部材２９６はいずれも前面を外壁１３２、１３４の前面とほぼ一致させていて、梁部材２９６は端部部材２９２、２９４よりも後方に突出した形となっている。しかしＬＥＤ照明器具は容積を小さく構成することができるため、吊棚本体２００が上下移動する空間を大きく侵食することなく、梁部材２９６を後方に突出させることができる。
【００３５】
さらに図５（ａ）および図７（ｂ）に示すように、端部部材２９２、２９４の後側を、吊棚本体２００の左右側板２１０、２１２が通過するように構成している。本実施形態にかかる昇降棚１００では、吊棚本体２００は上下直線状に移動するものの、第１アーム部材２３２の先端は手前側に円弧状軌跡を描いて揺動するため、揺動板２２８を移動させるレール２３０は手前側に突出している必要がある。換言すれば、吊棚本体２００の側板２１０、２１２の奥行きは吊棚本体２００の上下移動量（ストローク）によって決まり、奥行きを浅くすることは難しい。一方、昇降棚１００の全体的な奥行きは浅くしたいという要請がある。
【００３６】
そこで上記の構成によれば、補助幕板２９０の梁部材２９６の内部に照明器具を設け、端部部材２９２、２９４の内部には設けないことにより、補助幕板全体としては両端が薄く、中央部が厚い構成となる。そして端部部材２９２、２９４の後側を吊棚本体の左右側板２１０、２１２が通過するため、梁部材２９６の内部に照明器具を配置してもこれと干渉することがない。したがって補助幕板２９０をより後側に下げる（内側に食い込ませる）ことができ、キャビネット１１０の内部の空間を有効利用できると共に、外観の向上を図ることができる。
【００３７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３８】
本発明は、手前側および下方が開口した箱形のキャビネットを有する昇降棚として利用することができる。
【符号の説明】
【００３９】
１００…昇降棚、１１０…キャビネット、１１２…開口面、１１４…開口面、１１６…棚板、１２０…前扉、１３０…取付部材、１３２…外壁、１３４…外壁、２００…吊棚本体、２１０…側板、２１２…側板、２１４…底板、２１６…フレーム、２１８…フレーム、２２０…取手アーム、２２４…アーム取付部、２２６…腕部、２２８…揺動板、２３０…レール、２３２…第１アーム部材、２３２ａ…軸、２３４…第２アーム部材、２３６…第３アーム部材、２４０…ダンパ、２４２…ダンパ、２４４…渦巻きバネ、２４６…第４アーム部材、２４８…第５アーム部材、２５０…引張バネ、２５４…キャッチ部材、２５６…溝、２５８…キーパー、２８０…ガイド部、２８２…上下レール、２９０…補助幕板、２９２…端部部材、２９４…端部部材、２９６…梁部材、２９６ａ…梁本体、２９６ｂ…上カバー
【図１】
2014097155.tif 000003
【図２】
2014097155.tif 000004
【図３】
2014097155.tif 000005
【図４】
2014097155.tif 000006
【図５】
2014097155.tif 000007
【図６】
2014097155.tif 000008
【図７】
2014097155.tif 000009